(57)【要約】      （修正有）【課題】脂肪分を多く含む食物を美味しく食することができ、かつそれによって肥満となることのない脂肪分吸収シートを提供する。【解決手段】脂肪分吸収シート１は、口腔の硬口蓋に貼着して口腔内の食物の脂肪分を吸収するためのものであり、硬口蓋に貼着される食用可能な粘着層２と、粘着層２の上面に取り外し自在に設けられる上フィルム３と、粘着層２の下面に設けられる吸収マット４と、脂肪分吸収マット４の下面に取り外し自在に設けられる下フィルム５とを備える。また、粘着層２と吸収マット４の間に中間フィルム６を介在させることができる。【選択図】図３
0003202818.tif 000002
【実用新案登録請求の範囲】
【請求項１】
口腔（Ｃ）の硬口蓋（Ｐ）に貼着して，前記口腔内の食物の脂肪分を吸収するシートであって、前記硬口蓋に貼着される食用可能な粘着層（２）と、前記粘着層の上面に取り外し自在に設けられる上フィルム（３）と、前記粘着層の下面に設けられる吸収マット（４）と、前記吸収マットの下面に取り外し自在に設けられる下フィルム（５）と、を備え、全体の平面形状が前記硬口蓋よりもやや小さい略台形状で，四つのコーナー部に円弧状の湾曲部（１ａ）を有する脂肪分吸収シート。
【請求項２】
口腔（Ｃ）の硬口蓋（Ｐ）に貼着して，前記口腔内の食物の脂肪分を吸収するシートであって、前記硬口蓋に貼着される食用可能な粘着層（２）と、前記粘着層の上面に取り外し自在に設けられる上フィルム（３）と、前記粘着層の下面に設けられる吸収マット（４）と、前記吸収マットの下面に取り外し自在に設けられる下フィルム（５）と、前記粘着層と吸収マットとの間に介在する中間フィルム（６）と、を備え、全体の平面形状が前記硬口蓋よりもやや小さい略台形状で，四つのコーナー部に円弧状の湾曲部（１ａ）を有する脂肪分吸収シート。
【考案の詳細な説明】
【技術分野】
【０００１】
本考案は、口腔内において食物の脂肪分を吸収することによって、身体に吸収される脂肪分を減少させ、肥満を防止するための脂肪分吸収シートに関する。
【背景技術】
【０００２】
肥満は、糖尿病などのいわゆる現代病を誘発する可能性が高い。この肥満は、通常、脂肪分を必要以上に摂取することによって生じる現象である。従って、すでに肥満であったり、またその傾向がある多くの人々は、脂肪分の少ない食物を選んで食す場合が多い。
【考案の概要】
【考案が解決しようとする課題】
【０００３】
しかし、一般に、食物は脂肪分を含んでいるために旨味があるものであり、脂肪分を含まないあるいはそれが少ない食物は食しても旨く感じない。こうした脂肪分を含んでいないあるいは少ない食物を長期にわたって食し続けることは苦痛であり、大きなストレスとなってしまう。大きなストレスは、様々な病気の原因となるため、肥満と同じように避けなければならない症状である。
【０００４】
本考案は、こうした点に鑑み創案されたもので、脂肪分を多く含む食物を美味しく食することができ、かつそれによって肥満となることのない脂肪分吸収シートを提供することを課題とする。
【０００５】
なお、こうした脂肪分吸収シートは、本考案者が知る限り、これまでに存在しない。
【課題を解決するための手段】
【０００６】
図１乃至図４を参照して説明する。請求項１に記載の脂肪分吸収シート１は、口腔Ｃの硬口蓋Ｐに貼着して、前記口腔Ｃ内の食物の脂肪分を吸収するためのものであり、前記硬口蓋Ｐに貼着される食用可能な粘着層２と、前記粘着層２の上面に取り外し自在に設けられる上フィルム３と、前記粘着層２の下面に設けられる吸収マット４と、前記脂肪分吸収マット４の下面に取り外し自在に設けられる下フィルム５とを備える。
【０００７】
また、この脂肪分吸収シート１は、全体の平面形状が前記硬口蓋Ｐよりもやや小さい略台形状で、四つのコーナー部に円弧状の湾曲部１ａを有する。
【０００８】
請求項２に記載の脂肪分吸収シート１は、口腔Ｃの硬口蓋Ｐに貼着して、前記口腔Ｃ内の食物の脂肪分を吸収するためのものであり、前記硬口蓋Ｐに貼着される食用可能な粘着層２と、前記粘着層２の上面に取り外し自在に設けられる上フィルム３と、前記粘着層２の下面に設けられる吸収マット４と、前記脂肪分吸収マット４の下面に取り外し自在に設けられる下フィルム５と、前記粘着層２と吸収マット４との間に介在する中間フィルム６とを備える。
【０００９】
また、この脂肪分吸収シート１は、全体の平面形状が前記硬口蓋Ｐよりもやや小さい略台形状で、四つのコーナー部に円弧状の湾曲部１ａを有する。
【考案の効果】
【００１０】
請求項１に記載の考案に係る脂肪分吸収シート１は吸収マット４を備えているので、当該吸収マット４によって、食するために口腔Ｃに入れた食物の脂肪分を吸収することができる。従って、体内で吸収される脂肪分の量を大幅に削減することができ、肥満を解消することができる。また、これにより旨味成分を含む脂肪分を多く含む食物を食することができるので、食事を楽しむことができる。
【００１１】
また、この脂肪分吸収シート１は粘着層２を設けているので、当該粘着層２の粘着力によって脂肪分吸収シート１を口腔Ｃ内の硬口蓋Ｐに貼着することができる。また、粘着層２の上面に取り外し自在の上フィルム３を設けているので、使用前は、当該フィルムによって粘着層２を保護することができ、また、使用に際しては容易に取り外すことができる。
【００１２】
さらに、吸収マット４の下面に取り外し自在な下フィルム５を設けているので、使用前は当該下フィルム５によって吸収マット４を保護することができ、使用に際しては取り除くことによって吸収マット４の機能を発揮させることができる。
【００１３】
また、この脂肪分吸収シート１の全体の平面形状を硬口蓋Ｐよりもやや小さく設定しているので、当該硬口蓋Ｐに確実に貼着することができる。さらに、四つのコーナー部分に湾曲部１ａを形成しているので鋭角な角部が存在せず、従って、硬口蓋Ｐから外れ難い。また、例えば、舌Ｔがその角部に接触して傷ついてしまうこともない。
【００１４】
請求項２に記載の脂肪分吸収シート１は、請求項１に記載の考案と同様の効果を発揮する。また、粘着層２と吸収マット４との間に中間フィルム６を設けているので、当該中間フィルム６の働きによって粘着層２と吸収マット４のそれぞれの機能を効果的に維持することができる。
【図面の簡単な説明】
【００１５】
【図１】本考案に係る脂肪分吸収シートを硬口蓋に貼着した状態を示す斜視図である（上フィルムと下フィルムを除去した後の状態）。
【図２】本考案に係る脂肪分吸収シートの平面図である（上フィルムと下フィルムを除去する前の状態）。
【図３】図２のＸ−Ｘ線断面図である。
【図４】本考案に係る脂肪分吸収シートを硬口蓋に貼着した状態を示す断面図である（上フィルムと下フィルムを除去した後の状態）。
【考案を実施するための形態】
【００１６】
本考案に係る脂肪分吸収シート１の実施形態を、図１乃至図４に示す。この脂肪分吸収シート１は、口腔Ｃの硬口蓋Ｐに貼着して、当該口腔Ｃ内の食物の脂肪分を吸収するためのものであり、粘着層２、上フィルム３、吸収マット４、下フィルム５、および中間フィルム６を備える。
【００１７】
粘着層２は、硬口蓋Ｐに貼着されるものであり、例えば、食用可能な糊剤を肉薄扁平状に形成して形成することができる。食用可能な糊剤としては、限定されるものではないが、米などに含まれる澱粉を使用することができる。また、この粘着層２は、唾液の粘着力を利用して硬口蓋Ｐに貼着できる材料で形成することもできる。これには、例えば、吸水性に優れる軟質な紙類が挙げられる。更に粘着層２としては、不織布単独または折り重ねた不織布を採用することも出来る。
【００１８】
上フィルム３は、粘着層２の上面に取り外し自在に貼着されるものであり、水分を透さず、またガスバリヤー性に優れる肉薄のフィルム材で構成することができる。この上フィルム３は、粘着層２の粘着力によって当該粘着層２に貼着することができるし、また、上フィルム３に粘着部を設けて貼着することもできる。
【００１９】
吸収マット４は、粘着層２の下面に設けられるものであり、水との親和性を有さず且つ油分の吸油吸収効率に優れた材料で構成することができる（特開平１１−２１７５１０号公報参照）。吸油性の高い材料としては、例えば、吸水性（吸油性）の高い紙類がある。また、その他に、ポリプロピレンやポリエチレンなどの熱可塑性樹脂に、米ぬか、大豆殻、籾殻などの可食性で吸油性の高い材料を混合させたものがある。また、これらの可食性があり吸油性の高い材料を、同じく吸油性の高い紙材で包み込んだもので形成することもできる。更に吸収マット４としては、不織布単独または折り重ねた不織布を採用することも出来る。
【００２０】
下フィルム５は、吸収マット４の下面に取り外し自在に設けられるもので、肉薄で水分を透さず、かつガスバリヤー性に優れるフィルム材で構成することができる。下フィルム５と吸収マット４の貼着は、例えば、下フィルム５に粘着部を設けて行うことができる。
【００２１】
中間フィルム６は、粘着層２と吸収マット４との間に設けられるもので、肉薄で水分を透さず、かつガスバリヤー性に優れるフィルム材で形成することができる。この中間フィルム６にも、粘着層２と吸収マット４に貼着するための粘着部を形成することができる。
【００２２】
また、本実施形態に係る脂肪分吸収シート１は、その全体の平面形状を硬口蓋Ｐよりもやや小さい略台形状とし、その四つのコーナー部に円弧状の湾曲部１ａを形成している。
【００２３】
本実施形態に係る脂肪分吸収シート１は、上記した五つの部材（粘着層２、上フィルム３、吸収マット４、下フィルム５および中間フィルム６）が、使用前までは一体化した状態で取り扱われる。こうした形態の脂肪分吸収シート１は、次のようにして使用することができる。
【００２４】
まず、上フィルム３を剥がすようにして取り外し、粘着層２を露出させる（図３参照）。次に、粘着層２が露出した脂肪分吸収シート１を口腔Ｃに挿入し、粘着層２の上面を硬口蓋Ｐに貼着する（図１）。これに続いてあるいはこれと平行して、下フィルム５を同様に剥がすようにして取り除き、吸収マット４の下面を露出させる（図３参照）。
【００２５】
この状態で、食物を、通常通りに口に入れて歯で噛む。このとき、当該食物の旨味を舌Ｔで感じることができると共に、旨味を多く含む脂肪分が吸収シート１に吸収される。噛んだ後の食物は飲み込むが、この食物からは脂肪分が吸収シート１によって取り除かれているため、体内で吸収される脂肪分は極めて少ない。従って、当該食物を美味しく食することができると共に、肥満を解消することができる。
【００２６】
なお、本実施形態では、粘着層２と吸収マット４との間に中間フィルム６を介在させて粘着層２と吸収マット４とを隔離しているので、それぞれの機能がそれぞれの相互作用によって失われるのを未然に防止している。これにより、粘着層２の貼着性と吸収マット４の吸収性を長時間にわたって維持することができる。
【００２７】
本考案の実施形態に係る脂肪分吸収シート１は、以下の効果を発揮する。
（イ）吸収マット４によって口腔Ｃに入れた食物の脂肪分を吸収することができるので、体内で吸収される脂肪分の量を大幅に削減して肥満を解消することができる。また、この吸収マット４の働きによって旨味成分を含む脂肪分を多く含む食物を食することができるので、食事を楽しむことができる。
【００２８】
（ロ）吸収マット４を米ぬかなどの可食性のある材料で形成することにより、人体への害を避けることができる。
【００２９】
（ハ）粘着層２の粘着力によって脂肪分吸収シート１を口腔Ｃ内の硬口蓋Ｐに容易かつ確実に貼着することができる。
【００３０】
（ニ）上フィルム３によって、使用前の粘着層２を保護することができる。また、使用に際しては剥がすようにして容易に取り外すことができるので、その取り外し作業が容易である。
【００３１】
（ホ）下フィルム５によって、使用前の吸収マット４を保護することができる。また、使用に際しては剥がすようにして容易に取り除くことができるので、当該取り外し作業を簡単に行うことができる。
【００３２】
（へ）脂肪分吸収シート１の全体の平面形状を硬口蓋Ｐよりもやや小さく設定しているので、当該硬口蓋Ｐに確実に貼着することができる。
【００３３】
（ト）脂肪分吸収シート１の四つのコーナー部分に湾曲部１ａを形成しているので、鋭角な角部が存在しない。従って、硬口蓋Ｐから外れ難く、また、例えば舌Ｔがその角部によって傷ついてしまうこともない。
【００３４】
（チ）中間フィルム６によって粘着層２と吸収マット４とを隔離しているので、それぞれの機能がそれぞれの相互作用によって失われることがない。従って、粘着層２の貼着性と吸収マット４の吸収性を長時間にわたって維持することができる。
【符号の説明】
【００３５】
１        脂肪分吸収シート
１ａ      湾曲部
２        粘着層
３        上フィルム
４        吸収マット
５        下フィルム
６        中間フィルム
Ｃ        口腔
Ｐ        硬口蓋
Ｔ        舌
【図１】
0003202818.tif 000003
【図２】
0003202818.tif 000004
【図３】
0003202818.tif 000005
【図４】
0003202818.tif 000006